(57)【要約】【課題】ＯＣＢモード液晶装置を駆動する電源回路、対向電極駆動回路及び保持容量電極駆動回路の回路規模と消費電力を最小限とし、短時間で確実な初期転移を可能とするＯＣＢモード液晶装置及び電子機器を提供する。【解決手段】駆動開始時に液晶層の配向状態を初期的にスプレイ配向からベンド配向へ転移させる初期転移期間を設け、初期転移期間完了後映像表示期間に移行するＯＣＢモード液晶装置において、初期転移期間には保持容量電極と対向電極の間に液晶層の臨界電圧よりも高い転移電圧（振幅の大きな信号）が印加される。【選択図】図５
2009288375.tif 000002
【特許請求の範囲】
【請求項１】
走査信号線及び保持容量電極が形成されたアレイ基板と、対向電極が形成された対向基板と、前記アレイ基板と前記対向基板の間に挟持された液晶層とを備え、駆動開始時に前記液晶層の配向状態を初期的にスプレイ配向からベンド配向へ転移させる初期転移期間を設け、前記初期転移期間完了後、映像表示期間に移行するＯＣＢモード液晶装置であって、
前記初期転移期間には、前記保持容量電極の電位を変化させることにより、前記保持容量電極と前記対向電極の間に前記液晶層を構成する液晶の臨界電圧よりも高い転移電圧が印加されることを特徴とするＯＣＢモード液晶装置。
【請求項２】
請求項１に記載のＯＣＢモード液晶装置において、
前記初期転移期間には前記保持容量電極に、前記対向電極とほぼ同電位で逆相の信号が印加されることを特徴とするＯＣＢモード液晶装置。
【請求項３】
請求項１に記載のＯＣＢモード液晶装置において、
前記初期転移期間には前記保持容量電極に、前記対向電極とほぼ同電位で逆相の信号と、前記対向電極とほぼ同電位で同相の信号とが交互に繰り返し印加されることを特徴とするＯＣＢモード液晶装置。
【請求項４】
請求項１に記載のＯＣＢモード液晶装置において、
前記初期転移期間には前記保持容量電極に、電位が前記走査信号線の前記映像表示期間における選択電位及び非選択電位とほぼ同じであり、位相が前記対向電極と逆相となる信号が印加されることを特徴とするＯＣＢモード液晶装置。
【請求項５】
請求項１に記載のＯＣＢモード液晶装置において、
前記初期転移期間には前記保持容量電極に、電位が前記走査信号線の前記映像表示期間における選択電位及び非選択電位とほぼ同じで位相が前記対向電極と逆相となる信号と、前記対向電極とほぼ同一の信号とが交互に繰り返し印加されることを特徴とするＯＣＢモード液晶装置。
【請求項６】
走査信号線及び保持容量電極が形成されたアレイ基板と、対向電極が形成された対向基板と、前記アレイ基板と前記対向基板の間に挟持された液晶層とを備え、駆動開始時に前記液晶層の配向状態を初期的にスプレイ配向からベンド配向へ転移させる初期転移期間を設け、前記初期転移期間完了後、映像表示期間に移行するＯＣＢモード液晶装置であって、
前記保持容量電極は、前記アレイ基板において平面的に前記走査信号線と隣接または重なって配置され、
前記初期転移期間には前記保持容量電極に、電位が前記走査信号線の前記映像表示期間における非選択電位と選択電位とほぼ同じで位相が前記対向電極と逆相となる交流信号が印加され、前記走査信号線に、電位が前記走査信号線の前記映像表示期間における選択電位及び非選択電位と同じであり、位相が前記対向電極と同相となる信号が印加されることを特徴とするＯＣＢモード液晶装置。
【請求項７】
請求項６に記載のＯＣＢモード液晶装置において、
前記初期転移期間において、前記走査信号線は、前記選択電位の期間に走査に対応した非選択電位パルスを含むとともに、前記非選択電位の期間に走査に対応した選択電位パルスを含むことを特徴とするＯＣＢモード液晶装置。
【請求項８】
請求項６または請求項７に記載のＯＣＢモード液晶装置において、
前記初期転移期間には前記保持容量電極に、電位が前記走査信号線の前記映像表示期間における非選択電位及び選択電位とほぼ同じで、位相が前記対向電極と逆相の信号と、前記対向電極とほぼ同一の信号とが繰り返し印加されることを特徴とするＯＣＢモード液晶装置。
【請求項９】
請求項１から請求項８のいずれか一項に記載のＯＣＢモード液晶装置を備えることを特徴とする電子機器。
【発明の詳細な説明】
【技術分野】
【０００１】
本発明は、ＯＣＢ（Optical Compensated Bend）モード液晶装置及び電子機器に関する。
【背景技術】
【０００２】
近年、例えば液晶テレビジョンなどに代表される液晶装置の分野においては、動画の画質向上を目的として応答速度の速いＯＣＢモード液晶装置が注目されている。このＯＣＢモードでは、初期状態において液晶分子が一対の基板間でスプレイ状に開いたスプレイ配向となっており、映像表示時（映像表示期間）には液晶分子が弓なりに曲がった状態のベンド配向になっている必要がある。すなわち、表示動作時にベンド配向の曲がりの度合いで透過率を変調することで高速応答性を実現している。したがって、ＯＣＢモード液晶装置の場合、電源遮断時には液晶がスプレイ配向であるため、電源投入時にある臨界電圧以上の電圧を液晶に印加することによって初期のスプレイ配向から映像表示時のベンド配向に液晶の配向状態を転移させる、いわゆる初期転移操作（初期転移期間）が必要となる。ここで、初期転移が十分に行われないと、表示不良が生じたり所望の高速応答性が得られなかったりする。
【０００３】
このような初期転移の方法として、液晶の臨界電圧よりも高い転移電圧を、対向電極の電位を変化させて印加する方法がある（例えば、特許文献１参照）。
【０００４】
【特許文献１】特開２００７−３９０４号公報
【特許文献２】特開２００１−８３４７９号公報
【発明の開示】
【発明が解決しようとする課題】
【０００５】
しかしながら、上述した従来の初期転移方法においては、以下の課題が残されている。すなわち、対向電極に映像表示期間の２値出力と初期転移期間の高電圧の２値出力、合わせて４値出力が必要となる。とりわけ、対向電極は全液晶を駆動するため負荷が非常に重いため、対向電極駆動回路は回路規模が大幅に大きくなり、消費電力も増大するという課題があった。
【課題を解決するための手段】
【０００６】
本発明は、上記課題の少なくとも一部を解決するためになされたものであり、以下の形態、または適用例として実現することが可能である。
【０００７】
［適用例１］
本適用例のＯＣＢモード液晶装置は、走査信号線及び保持容量電極が形成されたアレイ基板と、対向電極が形成された対向基板と、前記アレイ基板と前記対向基板の間に挟持された液晶層とを備え、駆動開始時に前記液晶層の配向状態を初期的にスプレイ配向からベンド配向へ転移させる初期転移期間を設け、前記初期転移期間完了後、映像表示期間に移行するＯＣＢモード液晶装置であって、前記初期転移期間には、前記保持容量電極の電位を変化させることにより、前記保持容量電極と前記対向電極の間に前記液晶層を構成する液晶の臨界電圧よりも高い転移電圧が印加されることを特徴とする。
【０００８】
［適用例２］
上記ＯＣＢモード液晶装置において、前記初期転移期間には前記保持容量電極に前記対向電極とほぼ同電位で逆相の信号が印加されることが好ましい。
【０００９】
［適用例３］
上記ＯＣＢモード液晶装置において、前記初期転移期間には前記保持容量電極に、前記対向電極とほぼ同電位で逆相の信号と、前記対向電極とほぼ同電位で同相の信号とが交互に繰り返し印加されることが好ましい。
【００１０】
これらの適用例によれば、映像表示期間と同じ電源構成及び出力手段ですむため、回路規模や消費電力を最小限として、初期転移を短時間に実現可能なＯＣＢモード液晶装置が実現できる。
【００１１】
［適用例４］
上記ＯＣＢモード液晶装置において、前記初期転移期間には前記保持容量電極に、電位が前記走査信号線の前記映像表示期間における選択電位及び非選択電位とほぼ同じであり、位相が前記対向電極と逆相となる信号が印加されることが好ましい。
【００１２】
［適用例５］
上記ＯＣＢモード液晶装置において、前記初期転移期間には前記保持容量電極に、電位が前記走査信号線の前記映像表示期間における選択電位及び非選択電位とほぼ同じで位相が前記対向電極と逆相となる信号と、前記対向電極とほぼ同一の信号とが交互に繰り返し印加されることが好ましい。
【００１３】
ここで、走査信号線の選択電位とはＴＦＴ素子がオンとなる走査信号線の電位を言い、非選択電位とはＴＦＴ素子がオフとなる走査信号線の電位を言う。
【００１４】
これらの適用例においても、映像表示期間と同じ電源構成が適用できる。保持容量電極を駆動させる駆動回路の耐圧は映像表示期間よりも高くしなければならないものの、走査信号線は一般的に対向電極よりも大きな電圧であるため、対向電極と保持容量電極の間の電位差が大きくなり、転移がより短時間に確実に実現するという長所がある。
【００１５】
［適用例６］
本適用例のＯＣＢモード液晶装置は、走査信号線及び保持容量電極が形成されたアレイ基板と、対向電極が形成された対向基板と、前記アレイ基板と前記対向基板の間に挟持された液晶層とを備え、駆動開始時に前記液晶層の配向状態を初期的にスプレイ配向からベンド配向へ転移させる初期転移期間を設け、前記初期転移期間完了後、映像表示期間に移行するＯＣＢモード液晶装置であって、前記保持容量電極は、前記アレイ基板において平面的に前記走査信号線と隣接または重なって配置され、前記初期転移期間には前記保持容量電極に、電位が前記走査信号線の前記映像表示期間における非選択電位と選択電位とほぼ同じで位相が前記対向電極と逆相となる交流信号が印加され、前記走査信号線に、電位が前記走査信号線の前記映像表示期間における選択電位及び非選択電位と同じであり、位相が前記対向電極と同相となる信号が印加されることを特徴とする。
【００１６】
［適用例７］
上記ＯＣＢモード液晶装置において、前記初期転移期間において、前記走査信号線は、前記選択電位の期間に走査に対応した非選択電位パルスを含むとともに、前記非選択電位の期間に走査に対応した選択電位パルスを含むことが好ましい。
【００１７】
［適用例８］
上記ＯＣＢモード液晶装置において、前記初期転移期間には前記保持容量電極に、電位が前記走査信号線の前記映像表示期間における非選択電位及び選択電位とほぼ同じで、位相が前記対向電極と逆相の信号と、前記対向電極とほぼ同一の信号とが繰り返し印加されることが好ましい。
【００１８】
これらの適用例においては、液晶層に大きな横電界及び縦電界が印加されることにより、より短時間で確実な初期転移が実現でき、かつ電源回路及び駆動回路の規模を最小限に抑えることができる。
【００１９】
［適用例９］
また、上記のいずれかのＯＣＢモード液晶装置を備える電子機器を構成することができる。
【発明を実施するための最良の形態】
【００２０】
本発明は、ＯＣＢモード液晶装置において、初期転移期間には保持容量電極の電位を変化させることにより、保持容量電極と対向電極の間に液晶の臨界電圧よりも振幅の大きな信号を印加することにより、対向電極駆動回路の回路規模や消費電力を最小限のままで、初期転移を短時間に確実に実現するものである。
【００２１】
以下、図面を参照して本発明を実施するための最良の形態について説明する。なお、以下の各種実施形態は、本発明を液晶装置に適用したものを例示している。
【００２２】
［第１の実施形態］
第１の実施形態は保持容量電極に対向電極と同電位で逆相の信号を印加するものである。
【００２３】
（ＯＣＢモード液晶装置の構成）
図１は本実施形態におけるＯＣＢモード液晶装置１を示す平面図、図２は図１におけるＡ−Ａ矢視断面図、図３は図１の液晶パネル２を示す等価回路図、図４はアレイ基板３の画素部分の構成を示す平面図である。なお、以下の説明に用いる各図では、各層や各部材を図面上で認識可能な程度の大きさとするため、各層や各部材ごとに縮尺を適宜変更している。
【００２４】
図１及び図２に示すように、本実施形態におけるＯＣＢモード液晶装置１は、例えばＴＦＴ（Thin Film Transistor：薄膜トランジスタ）を画素スイッチング素子として用いたＴＦＴ方式アクティブマトリックス型である。そして、ＯＣＢモード液晶装置１は、液晶パネル２と、液晶パネル２の外面にそれぞれ配置された偏光板（図示略）とを備えている。
【００２５】
液晶パネル２は、アレイ基板３と、アレイ基板３と対向配置された対向基板４と、アレイ基板３及び対向基板４を貼着するシール材５と、アレイ基板３及び対向基板４によって形成されたセルギャップ内に液晶が封入された液晶層６とを備えている。すなわち、液晶層６は、アレイ基板３及び対向基板４によって挟持されている。そして、図１に示すように、ＯＣＢモード液晶装置１のうちアレイ基板３と対向基板４とが重なると共にシール材５の内側に形成された周辺遮光膜７によってシール領域の内側が画像表示領域８となっている。なお、図１では、対向基板４の図示を省略している。
【００２６】
アレイ基板３は、図１に示すように、例えば平面視矩形状を有しており、例えばガラスや石英、プラスチックなどの透光性材料によって構成されている。そして、アレイ基板３のうち画像表示領域８と平面視で重なる領域には、図２、図３及び図４に示すように、主として画素電極１１やＴＦＴ素子１２、複数の映像信号線１３及び走査信号線１６などが形成または実装されている。また、アレイ基板３の表面には配向膜１５などが形成されている。
【００２７】
画素電極１１は、例えばＩＴＯ（Indium Tin Oxide：酸化インジウムスズ）などの透光性導電材料によって形成されており、対向基板４に設けられた対向電極３１と液晶層６を介して対向配置されている。
【００２８】
ＴＦＴ素子１２は、例えばｎ型トランジスタによって構成されており、走査信号線１６と映像信号線１３との交点にそれぞれ設けられている。そして、ＴＦＴ素子１２は、ソース電極が映像信号線１３に接続され、ゲート電極が走査信号線１６に接続され、ドレイン電極が画素電極１１に接続されている。また、画素電極１１に書き込まれた画像信号のリークを防止するため、画素電極１１と保持容量電極１４との間に保持容量１７などが接続されている。
【００２９】
映像信号線１３は、図３及び図４に示すように、例えばアルミニウムなどの金属によって構成された配線であって、図３に示すＹ方向に延在するように形成されている。また、走査信号線１６は、映像信号線１３と同様に、図３に示すＸ方向に延在するように形成されている。そして、これら映像信号線１３及び走査信号線１６によって、画素が区画される。
【００３０】
また、アレイ基板３上のうちシール材５の周辺領域には、図１に示すように、映像信号線駆動回路２１及び外部実装端子２２がアレイ基板３の一辺に沿って形成されている。また、アレイ基板３の周辺領域には、走査信号線駆動回路２３、２４が上記一辺に隣接する二辺に沿って形成されている。なお、映像信号線駆動回路２１、外部実装端子２２及び走査信号線駆動回路２３、２４は、配線２５によって適宜接続されている。これらの駆動回路の全部または一部は複数の、例えばＴＦＴ素子などによってアレイ基板３上に作りこまれていてもよい。
【００３１】
映像信号線駆動回路２１は、複数の映像信号線１３に、図３に示すような画像信号Ｓ１、Ｓ２、…、Ｓｍを供給する構成となっている。ここで、映像信号線駆動回路２１により映像信号線１３に書き込まれる画像信号は、線順次に供給しても、互いに隣接する複数の映像信号線１３同士に対してグループごとに供給してもよい。
【００３２】
走査信号線駆動回路２３、２４は、複数の走査信号線１６に、走査信号Ｇ１、Ｇ２、…、Ｇｎを所定のタイミングでパルス的に供給する構成となっている。ここで、走査信号線駆動回路２３、２４により走査信号線１６に送られる走査信号は、例えば線順次に供給される。
【００３３】
対向基板４は、図１及び図２に示すように、アレイ基板３と同様に例えば平面視矩形状を有しており、例えばガラスや石英、プラスチックなどの透光性材料によって構成されている。そして、対向基板４のうち液晶層６側の表面には、対向電極３１が形成されている。
【００３４】
対向電極３１は、画素電極１１と同様にＩＴＯなどの透光性導電材料によって形成または実装された平面膜である。
【００３５】
また、対向基板４の表面には、配向膜３２などが形成されている。この配向膜３２のラビング方向は、配向膜１５のラビング方向とほぼ同方向となっている。無論配向制御はラビング以外の方法でなされてもかまわない。そして、対向基板４の例えば角部には、アレイ基板３と対向基板４との間の電気的な導通を確保するための基板間導通材３３が設けられている。
【００３６】
（ＯＣＢモード液晶装置の駆動方法）
次に、図５を参照して、第１実施形態に係るＯＣＢモード液晶装置１の駆動方法について説明する。図５は本実施形態におけるＯＣＢモード液晶装置１の駆動方法を示すタイミングチャートである。ＯＣＢモード液晶装置１の場合、電源投入後液晶はスプレイ配向状態となる。高速な映像表示はベンド配向状態にて実現できるため、まずスプレイ配向状態からベンド配向状態へと転移させる初期転移期間を設け、初期転移が完結した後、通常の表示動作をする映像表示期間へと移行する。以下、本実施形態の映像表示期間の駆動方法を説明し、その後、初期転移期間の駆動方法について説明する。
【００３７】
（映像表示期間の駆動方法）
本実施形態では映像表示期間においては例えばフレーム反転駆動をしている。対向電極３１はフレーム毎に正極性、負極性を繰り返す。実際には対向電極３１の正極性の電位は６ボルト（図中Ｖ１）、負極正の電位は０ボルト（図中０Ｖ）とした。また、本実施形態では保持容量電極１４には対向電極３１と同一の信号が印加されているため対向電極３１と保持容量電極１４の電位差は０ボルトであるが、電位差があってもかまわない。例えばｎチャンネルのＴＦＴ素子の場合、走査信号線１６には図５に示されるように通常ＴＦＴ素子をオフさせるマイナス側の電位が印加され、走査信号線１６の走査に対応してＴＦＴ素子をオンさせるプラス側の選択パルスが印加される。すなわち、図３のＧ１、Ｇ２、Ｇ３の順に最後の走査電極線まで選択パルスが印加され１フレームを形成するが、走査の順番は任意でよい。映像信号線１３には、例えば実際表示される画像情報に従って輝度信号が印加される。
【００３８】
（初期転移期間の駆動方法）
電源投入後、液晶層をスプレイ配向からベンド配向へ転移させるために初期転移操作が実行される（初期転移期間）。この時、本実施形態では、例えば映像信号線１３、対向電極３１、走査信号線１６には映像表示期間のそれらと同一の信号が印加されるが、異なる信号であってもかまわない。保持容量電極１４には対向電極３１とほぼ同電位で逆相の信号が印加される。ここで、ほぼ同電位とは回路の構成により多少の電位の差が生じるものの原理的に同じ電位であることを意味する（以下同様）。本実施形態では対向電極３１と保持容量電極１４の電位は、例えば０ボルト（０Ｖ）と６ボルト（Ｖ１）であり、対向電極３１と保持容量電極１４の間には±６ボルト（±Ｖ１）の電位差が生じる。
【００３９】
このようにして対向電極３１と保持容量電極１４の間に液晶の臨界電圧（例えば５ボルト）よりも高い信号（転移電圧）が印加されることにより、保持容量電極１４の露出部分において液晶層６にこの電位差が印加され、ベンド配向の核が形成される。この状態を継続することにより、ベンド配向が短時間で液晶パネル全面に拡大し、通常の映像表示が可能なベンド配向状態となる。
【００４０】
実験的にはフレーム周波数を６０ヘルツとしたが、初期転移期間を１秒間（＝６０フレーム）とし映像表示期間に移行したところ、ベンド転移が完結し、短時間で確実にベンド配向への転移が実現できた。
【００４１】
この駆動方法によれば、別途初期転移用の高電圧が不要であり、電源回路の出力レベル数を増やさなくて良い。また、対向電極３１や保持容量電極１４の出力電圧も低電圧ですむため高耐圧の駆動回路構成とする必要が無い。この結果コストと消費電力を抑えて短時間で確実な初期転移が実現できる。
【００４２】
［変形例１］
次に、第１の実施形態の変形例である変形例１について図６を参照して説明する。なお、本変形例では、第１の実施形態と保持容量電極１４の駆動方法のみが異なるため、この点を中心に説明すると共に、上記実施形態で説明した構成要素には同一符号を付し、その説明を省略する。
【００４３】
図６は本変形例におけるＯＣＢモード液晶装置１の駆動方法を説明するタイミングチャートである。本変形例では初期転移期間において保持容量電極１４には対向電極３１の信号とほぼ同電位で逆相の信号が印加される期間と対向電極３１の信号とほぼ同電位で同相の信号が印加される期間とが繰り返される。その他の部分については第１の実施形態と同一である。
【００４４】
なお、特許文献２（特開２００１−８３４７９号公報）にはバイアス電圧を重畳した交流電圧または直流電圧を、対向電極自身または画素電極と対向電極の間に印加する工程と、ゼロ電圧あるいは低電圧を印加する工程とを交互に繰り返す記述があるが、本変形例では保持容量電極と対向電極の間に印加するものである。
【００４５】
図６においては逆相の部分を４フレーム、同相の部分を４フレームで、これを２回繰り返す形になっているが、これは本変形例の概念を説明するためのものであり、任意のフレーム数、任意の繰り返し回数でかまわない。実験的には、室温で保持容量電極１４に対向電極３１の信号とほぼ同電位で逆相の信号をフレーム周波数６０ヘルツにおいて１０フレーム、対向電極３１の信号とほぼ同電位で同相の信号を１０フレーム印加し、これを３回繰り返した。この結果対向電極３１と保持容量電極１４の間には±６ボルト（±Ｖ１）の交流が印加される０．１６７秒の期間と、電位差が０ボルトである０．１６７秒の期間とが３回繰り返されることになる。
【００４６】
このような構成とすることにより第１の実施形態の効果に加えて対称ベンド配向状態にリセットされ転移が速やかに拡大するというメリットがある。
【００４７】
［第２の実施形態］
次に、第２の実施形態について説明する。なお、本実施形態では、第１の実施形態と保持容量電極１４の駆動方法のみが異なるため、この点を中心に説明すると共に、上記実施形態で説明した構成要素には同一符号を付し、その説明を省略する。
【００４８】
図７は本実施形態におけるＯＣＢモード液晶装置１の駆動方法を説明するタイミングチャートである。本実施形態では初期転移期間において保持容量電極１４には対向電極３１の信号と逆相で電位が走査信号線１６の映像表示期間における非選択電位及び選択電位と同じである信号が印加される。その他の部分については第１の実施形態と同一である。
【００４９】
図７においてはこの信号が１６フレームの長さとなっているが、これは本実施形態の概念を説明するためのものであり、任意のフレーム数でかまわない。実験的には初期転移時間をフレーム周波数６０ヘルツに対して３０フレーム、つまり０．５秒に短縮することができた。
【００５０】
一般に走査信号線１６の振幅は対向電極３１の振幅よりも大きな電位差を持っている。本実施形態では走査信号線１６の電位は、例えば１０ボルト（図中Ｖ２）と−４ボルト（図中Ｖ３）である。このため、このような構成とすることにより第１の実施形態に対して保持容量電極１４の印加信号は大きな振幅を出力しなければならないものの、第１の実施形態よりも大きな電位差を対向電極３１と保持容量電極１４の間に印加することができるため、より短時間で確実な転移を実現することができる。
【００５１】
また、保持容量電極１４は対向電極３１に比較して負荷が軽いため、高耐圧化することによる回路規模の増大は小さく、なによりも負荷の重い対向電極駆動回路は初期転移のための変更が不要である。これらの結果、駆動回路の回路規模や消費電力をほとんど増加させること無く短時間で確実な初期転移が実現できる。
【００５２】
［変形例２］
次に、第２の実施形態の変形例である変形例２について図８を参照して説明する。なお、本変形例では、第２の実施形態と保持容量電極１４の駆動方法のみが異なるため、この点を中心に説明すると共に、上記実施形態で説明した構成要素には同一符号を付し、その説明を省略する。
【００５３】
図８は本変形例におけるＯＣＢモード液晶装置１の駆動方法を説明するタイミングチャートである。第２の実施形態に対して本変形例では保持容量電極１４に、電位が走査信号線１６の映像表示期間における選択電位及び非選択電位とほぼ同じであり、位相が対向電極３１と逆相の信号と対向電極３１と同一の信号とが交互に繰り返し印加される。その他の部分については第１の実施形態と同一である。
【００５４】
図８においては電位が走査信号線１６の選択電位及び非選択電位とほぼ同じであり、位相が対向電極３１と逆相の信号の部分を４フレーム、対向電極３１と同一の部分を４フレームで、これを２回繰り返す形になっているが、これは本変形例の概念を説明するためのものであり、任意のフレーム数、任意の繰り返し回数でかまわない。実験的には、室温で、保持容量電極１４に電位が走査信号線１６の選択電位及び非選択電位とほぼ同じであり、位相が対向電極３１と逆相の信号の信号をフレーム周波数６０ヘルツにおいて１０フレーム、対向電極３１の信号と同一の信号を１０フレーム印加し、これを３回繰り返した。この結果対向電極３１と保持容量電極１４の間には±１０ボルト（±Ｖ２）の交流が印加される０．１６７秒の期間と、電位差が０ボルトである０．１６７秒の期間とが３回繰り返されることになる。
【００５５】
このような構成とすることにより第２の実施形態の効果に加えて対称ベンド配向状態にリセットされ転移が速やかに拡大するというメリットがある。
【００５６】
［第３の実施形態］
次に、第３の実施形態について説明する。なお、本実施形態では、第１の実施形態と保持容量電極１４の配置とＯＣＢモード液晶装置１の駆動方法が異なるため、これらの点を中心に説明すると共に、上記実施形態で説明した構成要素には同一符号を付し、その説明を省略する。
【００５７】
本実施形態では液晶層に対する横電界を有効にするために、保持容量電極１４は走査信号線１６と平面的に隣接または重なっている。
【００５８】
図９は本実施形態におけるＯＣＢモード液晶装置１の駆動方法を説明するタイミングチャートである。初期転移期間には、保持容量電極１４には電位がほぼ映像表示期間における走査信号線１６の非選択電位と選択電位で、位相が対向電極３１と逆相の交流信号が印加される。走査信号線１６には、電位が走査信号線１６の映像表示期間における選択電位及び非選択電位で、位相が対向電極３１と同相の信号が印加される。その他の部分については第１の実施形態と同一である。
【００５９】
このような構成とすることにより、保持容量電極１４と走査信号線１６の間には液晶の臨界電圧よりもはるかに大きな、例えば±１４ボルトの電位差があり、これが液晶層６に対して±１４ボルトの横電界として印加される。また、保持容量電極１４と対向電極３１の間には液晶の臨界電圧よりも十分に高い、例えば±１０ボルトの電位差があり、これが液晶層６に対して±１０ボルトの縦電界として印加される。実験的にはフレーム周波数６０ヘルツに対して３０フレームの初期転移期間をとった。この横電界によりベンド配向の核が確実に発生し、縦電解によりベンド配向が確実に拡大した。
【００６０】
本実施形態においては、保持容量電極１４の電位は走査信号線１６の電位とほぼ同一であり、電源回路の出力ライン数を増やさなくてよい。負荷の重い対向電極駆動回路の出力電圧を低く抑え、かつ２値出力でよいため対向電極駆動回路が小規模で済む。保持容量電極駆動回路の耐圧は上げなければならないが、大きな電位差の横電界と縦電界を液晶層６に印加できるため、きわめて短時間に確実な初期転移が実現できるという大きな長所がある。
【００６１】
［変形例３］
次に、本発明の第３の実施形態の変形例である変形例３について図１０を参照して説明する。なお、本変形例では、第３の実施形態とＯＣＢモード液晶装置１の駆動方法のみが異なるため、この点を中心に説明すると共に、上記実施形態で説明した構成要素には同一符号を付し、その説明を省略する。
図１０は本実施形態におけるＯＣＢモード液晶装置１の駆動方法を説明するタイミングチャートである。初期転移期間には、保持容量電極１４には電位がほぼ走査信号線１６の映像表示期間における非選択電位及び選択電位で、位相が対向電極３１と逆相の交流信号を印加する期間と、対向電極３１とほぼ同一の信号が印加される期間とを繰り返す。また、走査信号線１６には、走査信号線１６の選択電位の中に走査に対応した非選択電位パルスを含む期間と、非選択電位の中に走査に対応した選択電位パルスを含む期間とが繰り返される対向電極３１と同相の信号が印加される。その他の部分については第３の実施形態と同一である。
【００６２】
図１０においては保持容量電極１４の電位が走査信号線１６の選択電位及び非選択電位とほぼ同じであり、位相が対向電極３１と逆相の信号の部分を４フレーム、対向電極３１と同一の部分を４フレームで、これを２回繰り返す形になっているが、これは本変形例の概念を説明するためのものであり、任意のフレーム数、任意の繰り返し回数でかまわない。実験的には、保持容量電極１４に電位が走査信号線１６の選択電位及び非選択電位とほぼ同じであり、位相が対向電極３１と逆相の信号をフレーム周波数６０ヘルツにおいて１０フレーム、対向電極３１の信号と同一の信号を１０フレーム印加し、これを３回繰り返した。
【００６３】
このような構成とすることにより第３の実施形態の効果に加えて対称ベンド配向状態にリセットされ転移が速やかに拡大するという効果がある。
【００６４】
なお、本発明は上記実施形態に限定されるものではなく、本発明の趣旨を逸脱しない範囲において種々の変更を加えることが可能である。
例えば、初期転移期間における映像信号線１３への印加信号は映像表示期間と同一としているが、他の色や場合によっては停止していてもかまわない。
また各駆動電圧は液晶材料やアレイ基板３及び対向基板４の配向制御の状態によって変わることは言うまでもない。
また、実施形態においてはフレーム反転方式で駆動しているが、ライン反転方式、ドット反転方式やそれらの組合せであってもかまわない。
また、ＯＣＢモード液晶装置１は、スイッチング素子としてＴＦＴ素子１２を備えているが、薄膜ダイオード（Thin Film Diode）などの２端子素子をスイッチング素子として備える構成としても良い。
【００６５】
［電子機器］
次に、上述した各実施形態及び変形例に係るＯＣＢモード液晶装置１等を適用可能な電子機器の具体例について図１１を参照して説明する。
【００６６】
まず、各実施形態及び変形例に係るＯＣＢモード液晶装置１等を、可搬型のパーソナルコンピュータ（いわゆるノート型パソコン）の表示部に適用した例について説明する。図１１（ａ）は、このパーソナルコンピュータの構成を示す斜視図である。同図に示すように、パーソナルコンピュータ７１０は、キーボード７１１を備えた本体部７１２と、本実施形態及び変形例に係るＯＣＢモード液晶装置１等を適用した表示部７１３とを備えている。
【００６７】
続いて、各実施形態及び変形例に係るＯＣＢモード液晶装置１等を、携帯電話機の表示部に適用した例について説明する。図１１（ｂ）は、この携帯電話機の構成を示す斜視図である。
同図に示すように、携帯電話機７２０は、複数の操作ボタン７２１のほか、受話口７２２、送話口７２３とともに、本実施形態及び変形例に係るＯＣＢモード液晶装置１等を適用した表示部７２４を備える。
【００６８】
なお、各実施形態及び変形例に係るＯＣＢモード液晶装置１等を適用可能な電子機器としては、図１１（ａ）に示したパーソナルコンピュータ、図１１（ｂ）に示した携帯電話機の他にも、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラ、液晶プロジェクタなどが挙げられる。
【図面の簡単な説明】
【００６９】
【図１】本発明の第１の実施形態に係るＯＣＢモード液晶装置の構成を模式的に示す平面図。
【図２】図１におけるＡ−Ａ矢視断面図。
【図３】図１における等価回路図。
【図４】図１における画素部分の構成を説明する平面図。
【図５】第１の実施形態に係る駆動方法を説明するタイミングチャート。
【図６】変形例１を説明するタイミングチャート。
【図７】第２の実施形態に係る駆動方法を説明するタイミングチャート。
【図８】変形例２を説明するタイミングチャート。
【図９】第３の実施形態に係る駆動方法を説明するタイミングチャート。
【図１０】変形例３を説明するタイミングチャート。
【図１１】本発明のＯＣＢモード液晶装置を適用した電子機器の例を示し、（ａ）はパーソナルコンピュータの構成を示す斜視図、（ｂ）は携帯電話機の構成を示す斜視図。
【符号の説明】
【００７０】
１…ＯＣＢモード液晶装置、２…液晶パネル、３…アレイ基板、４…対向基板、５…シール材、６…液晶層、７…周辺遮光膜、８…画像表示領域、１１…画素電極、１２…ＴＦＴ素子、１３…映像信号線、１４…保持容量電極、１５…配向膜、１６…走査信号線、２１…映像信号線駆動回路、２２…外部実装端子、２３，２４…走査信号線駆動回路、２５…配線、３１…対向電極、３２…配向膜、３３…基板間導通材。
【図１】
2009288375.tif 000003
【図２】
2009288375.tif 000004
【図３】
2009288375.tif 000005
【図４】
2009288375.tif 000006
【図５】
2009288375.tif 000007
【図６】
2009288375.tif 000008
【図７】
2009288375.tif 000009
【図８】
2009288375.tif 000010
【図９】
2009288375.tif 000011
【図１０】
2009288375.tif 000012
【図１１】
2009288375.tif 000013